(57)【特許請求の範囲】
【請求項１】
天面部、底面部、一対の側面部及び一対の妻面部を有し、前記天面部、前記底面部、前記側面部及び前記妻面部によって衛生用紙を封入する内部空間が形成され、前記天面部に環状の取出口形成用切込線が形成されて、前記天面部に前記取出口形成用切込線によって区画された切取部が形成されたカートン本体と、
前記衛生用紙を取り出すためのスリットが形成され、前記天面部の内向面に、前記切取部を閉塞するように貼り付けられたウインドウフィルムと、
前記天面部の前記切取部と前記ウインドウフィルムとの間に封入された拭き取りシートと、を備え、
前記拭き取りシートが、再剥離性接着剤からなる接着層を介して、前記切取部の内向面及び前記ウインドウフィルムの外向面の少なくとも一方に再剥離可能且つ再貼着可能な状態で固定されている衛生用紙収納用カートン。
【請求項２】
前記拭き取りシートが、紙ワイパーである請求項１に記載の衛生用紙収納用カートン。
【請求項３】
前記拭き取りシートが、天然抽出物からなる防蟻剤を付着させたものである請求項１又は２に記載の衛生用紙収納用カートン。
【請求項４】
複数の衛生用紙が折り重ねられた衛生用紙束と、
請求項１〜３のいずれか一項に記載の衛生用紙収納用カートンと、を備え、
前記衛生用紙収納用カートンの前記内部空間に、前記衛生用紙束が封入されているカートン入り衛生用紙。
【発明の詳細な説明】
【技術分野】
【０００１】
本発明は、ティシュペーパー等の衛生用紙を収納するためのカートンに関するものである。より具体的には、防蟻対策が施された衛生用紙収納用カートン及びカートン入り衛生用紙に関するものである。
【背景技術】
【０００２】
ティシュペーパー等の衛生用紙は、ボックスティシュのようにカートンに収納された状態で市販される場合がある（カートン入り衛生用紙）。このカートンは天面部に取出口を形成するための切込線（ミシン目等）が形成されていて、前記切込線を破断しカートンを開封すると、カートン内部に収納された衛生用紙を取り出せるように構成されている。
【０００３】
このようなカートン入り衛生用紙に蟻が集り、蟻がカートン内に侵入するという問題があった。この蟻は体長２ｍｍ程度の黒色の蟻で、西日本に多く生息する「ルリアリ」であることが確認されている。前記問題は衛生用紙中の成分が蟻を誘引することにより起こるのではなく、樹皮の裏等の狭い隙間に巣を作るルリアリの習性により起こると言われている。即ち、前記問題は暗いカートン内に木材パルプからなる衛生用紙が集積されたカートン入り衛生用紙の構造が樹皮の裏等の構造に似ており、そのような環境をルリアリが好むために起こると考えられている。
【０００４】
前記問題の対応策としては、防蟻剤を用いることが提案されている。例えば、防蟻剤を含有するグルー（糊）や印刷インクを用いてティシュ収納箱を製造すること（特許文献１）や、その表面や内部に防蟻剤を含有させた防蟻カバーによりカートン底面を覆うこと（特許文献２）が提案されている。
【先行技術文献】
【特許文献】
【０００５】
【特許文献１】特開２００１−１２２３４７号公報
【特許文献２】特開２０１０−０４７２８２号公報
【発明の概要】
【発明が解決しようとする課題】
【０００６】
しかしながら、特許文献１又は２に記載のように防蟻剤を用いた場合でも、カートン内に蟻が侵入する事態を有効に防止することはできなかった。そして、一旦、カートン内に蟻が侵入してしまうと、次々にカートン内に蟻が侵入し、結果としてカートン内に大量の蟻が侵入してしまうという問題があった。この問題は、たとえ最初に侵入した蟻を除去したとしても、また、事後的に前記防蟻カバーでカートンの底部を覆ったとしても解決することができなかった。
【０００７】
本発明は、このような従来技術の課題を解決するためになされたものである。即ち、本発明は、一旦、カートン内に蟻が侵入してしまった場合でも、大量の蟻がカートン内に侵入してしまう事態を効果的に防止することができ、しかも容易に製造することができる衛生用紙収納用カートン及びカートン入り衛生用紙を提供するものである。
【課題を解決するための手段】
【０００８】
本発明者らは上記課題を解決すべく鋭意検討した。その結果、一旦、カートンに蟻が侵入した場合でも、その侵入経路に付着した蟻のフェロモンを拭き取ることで、他の蟻が誘引されず、大量の蟻がカートン内に侵入してしまう事態を効果的に防止可能であることを見出した。そして、カートンの内部（より具体的にはカートン天面部に形成された切取部と前記天面部の裏面側に貼り付けられたウインドウフィルムとの間）に拭き取りシートを予め封入しておくことで前記課題を解決し得ることに想到し、本発明を完成するに至った。本発明によれば、以下の衛生用紙収納用カートン及びカートン入り衛生用紙が提供される。
【０００９】
［１］天面部、底面部、一対の側面部及び一対の妻面部を有し、前記天面部、前記底面部、前記側面部及び前記妻面部によって衛生用紙を封入する内部空間が形成され、前記天面部に環状の取出口形成用切込線が形成されて、前記天面部に前記取出口形成用切込線によって区画された切取部が形成されたカートン本体と、前記衛生用紙を取り出すためのスリットが形成され、前記天面部の内向面に、前記切取部を閉塞するように貼り付けられたウインドウフィルムと、前記天面部の前記切取部と前記ウインドウフィルムとの間に封入された拭き取りシートと、を備え、前記拭き取りシートが、再剥離性接着剤からなる接着層を介して、前記切取部の内向面及び前記ウインドウフィルムの外向面の少なくとも一方に再剥離可能且つ再貼着可能な状態で固定されている衛生用紙収納用カートン。
【００１０】
［２］前記拭き取りシートが、紙ワイパーである前記［１］に記載の衛生用紙収納用カートン。
【００１２】
［３］前記拭き取りシートが、天然抽出物からなる防蟻剤を付着させたものである前記［１］又は［２］に記載の衛生用紙収納用カートン。
【００１３】
［４］複数の衛生用紙が折り重ねられた衛生用紙束と、前記［１］〜［３］のいずれか一に記載の衛生用紙収納用カートンと、を備え、前記衛生用紙収納用カートンの前記内部空間に、前記衛生用紙束が封入されているカートン入り衛生用紙。
【発明の効果】
【００１４】
本発明の衛生用紙収納用カートン及びカートン入り衛生用紙は、一旦、カートン内に蟻が侵入してしまった場合でも、大量の蟻がカートン内に侵入してしまう事態を効果的に防止することができ、しかも容易に製造することができる。
【図面の簡単な説明】
【００１５】
【図１Ａ】本発明の衛生用紙収納用カートンの一の実施形態を模式的に示す斜視図である。
【図１Ｂ】図１Ａに示す衛生用紙収納用カートンの使用状態を模式的に示す斜視図である。
【図２Ａ】図１Ａに示す衛生用紙収納用カートンの中間体であるカートンブランクを模式的に示す平面図である。
【図２Ｂ】図２Ａに示すカートンブランクの裏面を模式的に示す裏面図である。
【図３Ａ】図１Ａに示す衛生用紙収納用カートンを製造する工程（角筒状カートン組立工程）を模式的に示す斜視図である。
【図３Ｂ】図１Ａに示す衛生用紙収納用カートンを製造する工程（衛生用紙束収納工程）を模式的に示す斜視図である。
【図３Ｃ】図１Ａに示す衛生用紙収納用カートンを製造する工程（カートン組立工程）を模式的に示す斜視図である。
【発明を実施するための形態】
【００１６】
以下、本発明の衛生用紙収納用カートン及びカートン入り衛生用紙を実施するための形態について、図１Ａ及び図１Ｂに示す衛生用紙収納用カートン１及びカートン入り衛生用紙５０の例により、図面を参照しながら具体的に説明する。但し、本発明はその発明特定事項を備える衛生用紙収納用カートン等を広く包含するものであり、以下の実施形態に限定されるものではない。
【００１７】
［１］衛生用紙収納用カートン１：
本発明に係る衛生用紙収納用カートンは、図１Ａ及び図１Ｂに示す衛生用紙収納用カートン１のように、カートン本体１２における天面部２の切取部２２とウインドウフィルム１４との間に封入された、拭き取りシート２４を備えている。
【００１８】
［１−１］拭き取りシート２４：
拭き取りシート２４は、蟻のフェロモンを拭き取るためのシートとして好適に用いられる。すなわち、この拭き取りシート２４を用いて蟻の侵入経路に付着したフェロモンを拭き取ることにより、一旦、衛生用紙収納用カートン１内に蟻が侵入してしまった場合でも、他の蟻は誘引されなくなる。従って、大量の蟻が衛生用紙収納用カートン１内に侵入してしまう事態を効果的に防止することが可能となる。
【００１９】
拭き取りシート２４としては、例えば、紙又は不織布のシート等を用いることができる。但し、拭き取りシート２４は衛生用紙収納用カートン１の内部に収納される衛生用紙と比較して、吸収力や拭き取り性に優れたシートであることが好ましい。例えば、衛生用紙がティシュペーパーである場合には、紙ワイパー（紙ウエス、産業用ワイパー、ワイピングクロスとも称される。）、タオル用紙等を拭き取りシートとして用いることが好ましい。
【００２０】
紙ワイパーとしては、商品名で、「キムワイプ」、「ＪＫワイパー」、「ケイドライ」、「キムタオル」、「ワイプオール」（以上、日本製紙クレシア社製）、「ネピアテクセルウエス」、「ネピアテクセルクロス」（以上、王子ネピア社製）等を挙げることができる。
【００２１】
タオル用紙としては、商品名で、「ネピアインザキッチン  キッチンペーパー」、「ネピアキッチンタオルボックス」、「ネピア激吸収キッチンタオル」、「ネピアテンダー介護用タオル」、「ネピアハンドタオル（フレッシュパルプ）」、「ネピアパブリックハンドタオルソフト（牛乳パック類再生紙）」、「ネピアパブリックハンドタオルハード各種（再生紙）」等を挙げることができる。
【００２２】
拭き取りシート２４の形状は特に限定されない。例えば、一般的な衛生用紙と同様に矩形状とする。また、矩形状の角部を円弧状とした準矩形状としてもよい。また、拭き取りシート２４は１枚のシートからなる単層シートでも、複数枚のシートを積層してなる複層シートでもよい。
【００２３】
拭き取りシート２４は、天然抽出物からなる防蟻剤を付着させたものであることが好ましい。防蟻剤が付着された拭き取りシート２４を衛生用紙収納用カートン１内に封入しておくことにより、蟻のフェロモンを拭き取る効果に加え、蟻を忌避する効果も発揮される。また、蟻のフェロモンを拭き取る際に、蟻の侵入経路に防蟻剤が付着する。従って、他の蟻は誘引されなくなり、大量の蟻が衛生用紙収納用カートン１内に侵入してしまう事態を効果的に防止することができる。
【００２４】
天然抽出物からなる防蟻剤としては、杉、檜、樟、ユーカリ等からの抽出物を挙げることができる。これらの抽出物には、安息香酸、ｐ−オキシ安息香酸、バニリン、カルバクロール、ｐ−メトキシチモール、ｏ−クマル酸、フェルギノール、クロロゲン酸、没食子酸、フロレチン、タンニン、プテロスチルベン、ピノシルビン、オキシスベラトロール、チモキノン、テクトキノン等の置換ベンゼン化合物；クマリン、スコポレチン、タキシホリン、カテキン等のＯ−ヘテロ環化合物；α−ツヤプリシン、β−ツヤプリシン（ヒノキチオール）、γ−ツヤプリシン等の七員環化合物；等の化合物が含まれている。また、松からの抽出物であるターペンチンを用いることも好ましい。ターペンチンには、α−ピネン、β−ピネン、γ−ピネン、カンフェン、カレン、リモネン等のテルペン類が含まれている。
【００２５】
拭き取りシート２４に防蟻剤を付着させる方法は特に限定されない。例えば、拭き取りシート２４の基材となる紙又は不織布のシート（基材シート）に対して、防蟻剤又はその希釈液を塗工し、或いは噴霧する方法を挙げることができる。また、基材シートを防蟻剤又はその希釈液中に浸漬し、適宜乾燥する方法でもよい。防蟻効果を持続させるため、防蟻剤をマイクロカプセルに封入し、又はシクロデキストリンに包接させる等の前処理を行ってもよい。
【００２６】
基材となる紙シートに対する防蟻剤の付着量は、０．０１〜０．５ｇ／ｍ２とすることが好ましい。０．０１ｇ／ｍ２以上とすることにより、防蟻剤の効果が発揮される。また、０．５ｇ／ｍ２以下とすることにより、防蟻剤の臭気を抑制することができる。
【００２７】
拭き取りシート２４は、再剥離性接着剤によって、切取部２２の内向面及びウインドウフィルム１４の外向面の少なくとも一方に接着されている。このような構成とすれば、衛生用紙収納用カートン１を開封する際に拭き取りシート２４が落下せず、紛失のおそれが少ない。また、開封後、拭き取りシート２４の使用時まで、拭き取りシート２４を衛生用紙収納用カートン１の表面に貼り付けて保管することもできるので、紛失のおそれを一層少なくすることができる。
【００２８】
「切取部２２の内向面」とは、カートン本体１２の天面部２に形成される切取部２２のカートン内側（内部空間側）に向いた面である。「ウインドウフィルム１４の外向面」とは、カートン本体１２の天面部２に貼り付けられたウインドウフィルム１４のカートン外側に向いた面（カートンと接触する面）である。
【００２９】
「再剥離性接着剤」とは、被着体に対して一度貼着された後でも接着層が被着体に殆ど残ることなく剥離することができ、再度貼着することもできる弱接着性の接着剤である。接着剤の種類は、従来公知の接着剤の中から接着力等を考慮して適宜選択すればよい。例えば、固形分濃度３５〜４５％の酢酸ビニル樹脂接着剤の他、エマルションタイプのアクリル樹脂系接着剤等を挙げることができる。より具体的には、弱粘着再剥離用のホットメルト接着剤（例えば、商品名「モレスコメルトＬＴ−１７０」、松村石油研究所社製）等を好適に用いることができる。
【００３０】
図１Ａに示す衛生用紙収納用カートン１においては、拭き取りシート２４が、カートン本体１２における天面部２の切取部２２とウインドウフィルム１４との間に封入されている。このような構造であると、従来のカートン製造工程を殆ど変更する必要がなく、ウインドウフィルム１４の貼り付け工程（窓貼り工程とも称される。）において拭き取りシート２４を封入することができる。また、このような構造は、図２Ａ及び図２Ｂに示すようにカートンブランク１１２の状態において、拭き取りシート２４がウインドウフィルム１４で被覆されている。従って、拭き取りシート２４をカートンブランク１１２の表面に単に貼り付けた形態と比較して、露出した拭き取りシート２４がカートン製造の際に破れたり、製造装置に引っかかって製造ラインが停止する等の不具合を生ずることがない。即ち、衛生用紙収納用カートン１を容易に製造することができる。更に、拭き取りシート２４に前記防蟻剤を付着させる形態においては、ウインドウフィルム１４に防蟻剤が付着するため、スリット１６からの蟻の侵入を効果的に防止することができる。
【００３１】
［１−２］カートン本体１２：
図１Ａ及び図１Ｂに示す衛生用紙収納用カートン１は、天面部２、底面部４、一対の側面部６及び一対の妻面部８を有するカートン本体１２を備えている。カートン本体１２は、天面部２、底面部４、一対の側面部６及び一対の妻面部８という６枚のパネルを有する箱体であり、六面体状（直方体状）に構成されている。但し、カートン本体１２の形状は直方体状に限定されるものではなく、例えば立方体状等であってもよい。
【００３２】
カートン本体１２は、天面部２、底面部４、側面部６及び妻面部８によって衛生用紙を封入する内部空間が形成されている。この内部空間に衛生用紙が収納される。
【００３３】
カートン本体１２は、折り曲げ加工により組み立てることが一般的である。従って、厚紙等の紙材料を構成材料とすることが好ましい。これらの紙材料としては、木材パルプ、古紙等を原料として製造されたものを好適に用いることができる。
【００３４】
［１−３］取出口形成用切込線１０：
図１Ａ及び図１Ｂに示す衛生用紙収納用カートン１は、カートン本体１２の天面部２に環状の取出口形成用切込線１０が形成されている。そして、天面部２に取出口形成用切込線１０によって区画された切取部２２が形成されている。取出口形成用切込線１０を破断し、切取部２２を切除することで、カートン本体１２の天面部２に取出口１８が形成される。
【００３５】
ここにいう「環状」とは、一定の領域を包囲する閉じた形状を意味する。即ち、円環状には限られず、楕円形状、長円形状、矩形状、菱形状、その他の多角形状等であってもよい。例えば、図１Ａ及び図１Ｂに示すカートン本体１２は天面部２に略矩形状の切取部２２を包囲する閉じた形状に取出口形成用切込線１０が形成されている。一般に、カートン本体１２は直方体状に形成され、その天面部は矩形状であることが多い。従って、切取部２２の形状は天面部２の長手方向に沿った横長形状とすることが好ましい。
【００３６】
取出口形成用切込線１０は、ミシン目状に限られず、比較的長い切れ目（スリット）が断続的に配置されたものであってもよい。また、ジッパーと称される切れ目が鉤形に屈曲した開封用破断線（包装産業の周知・慣用技術集第２８１頁参照、昭和５３年１２月２０日特許庁発行）や、２重のミシン目であってもよい。
【００３７】
［１−４］ウインドウフィルム１４：
図１Ａ及び図１Ｂに示す衛生用紙収納用カートン１は、天面部２の内向面に、切取部２２を閉塞するように貼り付けられたウインドウフィルム１４を備えている。このウインドウフィルム１４によって、衛生用紙収納用カートン１の内部に収納された衛生用紙に外部の塵や異物が付着することを防止することができる。
【００３８】
ウインドウフィルム１４は、例えば、ポリエチレン、ポリプロピレン、ポリ塩化ビニル、ポリエステル、ポリビニルアルコール等のプラスチック；グラシン紙、クラフト紙、ケント紙、インディア紙等の印刷用紙、書道用紙、包装紙、加工原紙等の紙；等により構成することができる。
【００３９】
「切取部２２を閉塞するように貼り付けられた」とは、切取部２２の面積に比してウインドウフィルム１４の面積が大きいこと、及びウインドウフィルム１４が切取部２２の全部と重畳する位置に貼り付けられていること、を意味する。
【００４０】
ウインドウフィルム１４の形状は特に限定されない。但し、切取部２２（ひいては取出口）が横長形状に形成されることが多いため、その切取部２２を閉塞し得る矩形状とすることが好ましい。
【００４１】
ウインドウフィルム１４は、例えば、接着剤や両面テープによる接着、熱融着等の方法によって、衛生用紙収納用カートン１の天面部２の内向面に貼り付けられる。
【００４２】
ウインドウフィルム１４には、衛生用紙を取り出すためのスリット１６が形成されている。このスリット１６により、衛生用紙収納用カートン１の開封後も衛生用紙収納用カートン１の内部に外部の塵や異物が侵入し難くなる。また、ポップアップした衛生用紙が衛生用紙収納用カートン１の内部空間に落ち込むことを防止することができる。
【００４３】
スリット１６の形状は特に限定されない。但し、図１Ａ及び図１Ｂに示すスリット１６のように直線状に形成されていることが好ましい。スリット１６の形成位置も特に限定されない。但し、衛生用紙収納用カートン１の取出口１８から外部空間に露出している部分（露出部）に形成されていることが好ましく、図１Ａ及び図１Ｂに示すスリット１６のように露出部の中央部に形成されていることが好ましい。また、取出口１８は横長形状に形成されることが多いため、露出部の長手方向に沿う直線状に形成されていることが好ましい。
【００４４】
［２］カートン入り衛生用紙５０：
本発明に係るカートン入り衛生用紙５０は、複数の衛生用紙が折り重ねられた衛生用紙束１４２と、本発明に係る衛生用紙収納用カートン１とを備え、衛生用紙収納用カートン１の内部空間に、衛生用紙束１４２が封入されているものである。
【００４５】
「衛生用紙」とは、例えば、ティシュペーパー（顔ふき紙、化粧紙等と呼ばれるもの）、ちり紙、ペーパータオル（キッチンペーパー等）、トイレットペーパー（ロールを除く）、ワッティング（紙綿）等の使い捨て紙を意味する（例えば、紙パルプ技術便覧第５版、第４５９頁参照、１９９２年１月３０日発行、紙パルプ技術協会編集・発行）。また、「衛生用紙」には、複数枚の衛生用紙が１組となったマルチプライ衛生用紙も含まれる。
【００４６】
「衛生用紙束１４２」とは、複数の衛生用紙が折り重ねられた衛生用紙の束（集合体）である。折り重ねの構造については特に限定されない。但し、一の衛生用紙が折り畳まれ、その折り返し部分に他の衛生用紙が挟み込まれた状態で折り畳まれることによって、複数枚の衛生用紙が連続的に積層された構造の衛生用紙束であることが好ましい。このような構造の衛生用紙束１４２は、最上層の衛生用紙を取り出すことにより、これに挟み込まれていた次層の衛生用紙の一部が取出口から突出し、衛生用紙の取出しが容易なものとなる利点がある（いわゆるポップアップ方式）。
【００４７】
［３］製造方法：
本発明の衛生用紙収納用カートン１及びカートン入り衛生用紙５０は、中間体としてカートンブランク１１２を用い、以下のような方法で製造することができる。
【００４８】
「カートンブランク１１２」とは、図２Ａ及び図２Ｂに示すカートンブランク１１２のように、紙材料からなり、天面部相当部１０２、底面部相当部１０４、一対の側面部相当部１０６及び少なくとも一対の妻面部相当部１０８を有し、天面部相当部１０２に取出口形成用切込線１０が形成された、衛生用紙収納用カートン１を形成するための中間体である。
【００４９】
「天面部相当部１０２」、「底面部相当部１０４」、「側面部相当部１０６」、「妻面部相当部１０８」とは、衛生用紙収納用カートン１に組み立てた際に衛生用紙収納用カートン１の天面部２、底面部４、側面部６、妻面部８となる部分である。なお、「少なくとも一対の妻面部相当部１０８」とは、複数対の妻面部相当部１０８によって妻面部８が形成される場合があることを意味する。例えば図２Ａ及び図２Ｂに示すカートンブランク１１２は、一対の天面外フラップ１３０、一対の底面外フラップ１３２、二対の側面内フラップ１３４によって衛生用紙収納用カートン１の妻面部８を形成するものである。
【００５０】
［３−１］窓貼り工程：
窓貼り工程は、カートンブランク１１２における天面部相当部１０２の内向面に、切取部相当部を閉塞するようにウインドウフィルム１４を貼り付ける工程である。図２Ａ及び図２Ｂに示すカートンブランク１１２は、カートンブランク１１２の天面部相当部１０２における内向面に接着剤塗工部１３６を介してウインドウフィルム１４が貼り付けられている。この窓貼り工程において、天面部相当部１０２の切取部２２とウインドウフィルム１４との間に拭き取りシート２４を封入すればよい。
【００５１】
例えば、再剥離性接着剤を用いて切取部２２の内向面及びウインドウフィルム１４の外向面の少なくとも一方に対して拭き取りシート２４を貼りつけて固定する。また、天面部相当部１０２における内向面及びウインドウフィルム１４の外向面の少なくとも一方に接着剤塗工部１３６を形成する。その後、接着剤塗工部１３６を介して天面部相当部１０２における内向面に対してウインドウフィルム１４を貼り付ける。こうすることにより、天面部相当部１０２の切取部２２とウインドウフィルム１４との間に拭き取りシート２４を封入することができる。
【００５２】
図２Ａ及び図２Ｂに示すカートンブランク１１２においては、ウインドウフィルム１４の四辺に沿って接着剤塗工部１３６を４箇所形成している。また、４箇所の接着剤塗工部１３６は連続的な直線状に形成されている。但し、ウインドウフィルム１４を確実に固定できる限り、天面部相当部１０２の四辺に沿って接着剤塗工部１３６を形成する必要はない。また、接着剤塗工部１３６を連続的な直線状ではなく断続的な直線状に形成してもよい。
【００５３】
再剥離性接着剤は、既に説明した再剥離性接着剤を用いればよい。拭き取りシート２４を確実に固定できる限り、再剥離性接着剤の塗工位置は特に限定されない。但し、少なくとも拭き取りシート２４の対向する２辺に沿って再剥離性接着剤を塗工しておくことが好ましい。こうすることにより、天面部相当部１０２とウインドウフィルム１４との間に拭き取りシート２４が封入される前の段階において、拭き取りシート２４を自由に挙動しないようにすることができる。従って、拭き取りシート２４が製造装置に引っかかって製造ラインが停止する等の不具合が生ずることを防止することができる。
【００５４】
［３−２］角筒状カートン組立工程：
角筒状カートン組立工程は、図３Ａに示すように、拭き取りシート２４が封入されたカートンブランク１１２を折り曲げて接合することにより、角筒状カートン１３８に組み立てる工程である。
【００５５】
「角筒状カートン１３８」とは、天面部相当部１０２、底面部相当部１０４及び一対の側面部相当部１０６を四面とし、当該四面で包囲された内部空間が形成された構造体である。「角筒状カートン１３８」には、一方の妻面部相当部１０８が折り曲げられて接合され、一方の端部開口部が閉鎖されているものも含まれる。
【００５６】
例えば図２Ａ及び図２Ｂに示すカートンブランク１１２は、側面部相当部１０６の端縁からは折り曲げ線を介して側面内フラップ１３４が延出され、天面部相当部１０２の端縁からは折り曲げ線を介して天面外フラップ１３０が延出され、底面部相当部１０４の端縁からは折り曲げ線を介して底面外フラップ１３２が延出されている。更に、底面部相当部１０４の一の側縁からは折り曲げ線を介して側面接合代１４０が延出されている。
【００５７】
このようなカートンブランク１１２は、各折り曲げ線を折り曲げ、側面接合代１４０と側面部相当部１０６を接合することにより角筒状カートン１３８に組み立てることができる。
【００５８】
「角筒状カートン１３８」は、妻面部相当部１０８が接合されておらず、端部開口部が形成されている。次工程の衛生用紙束挿入工程においては、この端部開口部から衛生用紙束１４２を挿入する。なお、ここにいう「角筒状カートン１３８」には、一方の妻面部相当部１０８が折り曲げられて接合され、一方の端部開口部が閉鎖されているものも含まれる。
【００５９】
［３−３］衛生用紙束挿入工程：
衛生用紙束挿入工程は、図３Ｂに示すように角筒状カートン１３８の端部開口部から、衛生用紙束１４２を挿入する工程である。
【００６０】
［３−４］カートン組立工程：
カートン組立工程は、図３Ｃに示すように角筒状カートン１３８の妻面部相当部１０８を折り曲げて接合し、角筒状カートン１３８の端部開口部を閉鎖し、衛生用紙収納用カートン１を組み立てる工程である。
【００６１】
例えば、図３Ｃに示す角筒状カートン１３８は、側面内フラップ１３４を折り曲げ、底面外フラップ１３２と天面外フラップ１３０を折り曲げた後、接合することで、一対の妻面部を形成することができる。こうすることにより、角筒状カートンを、図１Ａ及び図１Ｂに示すような天面部２、底面部４、一対の側面部６（６ａ，６ｂ）及び一対の妻面部８（８ａ，８ｂ）を有する衛生用紙収納用カートン１に組み立てることができる。
【産業上の利用可能性】
【００６２】
本発明の衛生用紙収納用カートンは、ティシュペーパー、キッチンタオル等の衛生用紙を収納するためのカートンとして好適に用いることができる。
【符号の説明】
【００６３】
１：衛生用紙収納用カートン、２：天面部、４：底面部、６，６ａ，６ｂ：側面部、８，８ａ，８ｂ：妻面部、１０：取出口形成用切込線、１２：カートン本体、１４：ウインドウフィルム、１６：スリット、１８：取出口、２２：切取部、２４：拭き取りシート、５０：カートン入り衛生用紙、１０２：天面部相当部、１０４：底面部相当部、１０６：側面部相当部、１０８：妻面部相当部、１１２：カートンブランク、１３０：天面外フラップ、１３２：底面外フラップ、１３４：側面内フラップ、１３６：接着剤塗工部、１３８：角筒状カートン、１４０：側面接合代、１４２：衛生用紙束。
【図１Ａ】
0005994267.tif 000002
【図１Ｂ】
0005994267.tif 000003
【図２Ａ】
0005994267.tif 000004
【図２Ｂ】
0005994267.tif 000005
【図３Ａ】
0005994267.tif 000006
【図３Ｂ】
0005994267.tif 000007
【図３Ｃ】
0005994267.tif 000008